(57)【特許請求の範囲】
【請求項１】
複数枚のパレットを積み重ねて載置可能とさせるパレット支持台と、このパレット支持台の平面視での外縁部の各部から鉛直方向の上方に向かって延出する下部案内体と、この下部案内体の延出端部の平面視での各部から上方に向かうに従い上記下部案内体の外側方に向かって延出する上部案内体とを備えたパレット積み重ね案内装置において、
フォークリフトのフォークに支持されたパレットを上記上部案内体の上方から下降させるとき、上記上部案内体が上記パレットを摺動させて、このパレットを水平方向の一方向である前後方向、およびこの前後方向に対する左右方向のそれぞれで上記下部案内体の内部空間に向けて案内した後、上記下部案内体がその内部空間を下降する上記パレットを摺動させて、このパレットを上記パレット支持台上の所定位置に向けて案内するようにし、
上記パレット支持台上に積み重ねられたパレット群を上記下部案内体の内部空間から水平方向の外部に向かって取り出し可能にさせる開口を、上記パレット支持台の直上、かつ、上記上部案内体の下方に形成したことを特徴とするパレット積み重ね案内装置。
【請求項２】
上記下部案内体を、上記パレット支持台の外縁部に所定間隔で配置される案内柱で構成したことを特徴とする請求項１に記載のパレット積み重ね案内装置。
【発明の詳細な説明】
【技術分野】
【０００１】
本発明は、不使用時の複数枚のパレットを整然と揃えて積み重ねることができるようにするためのパレット積み重ね案内装置に関するものである。
【背景技術】
【０００２】
上記パレット積み重ね案内装置には、従来、下記特許文献１に示されるものがある。この公報のものによれば、パレット積み重ね案内装置は、基台に支持され、複数枚のパレットを積み重ねて載置可能とさせるパレット支持台と、上記基台に移動可能に支持され、上記パレット支持台上に載置された各パレットを水平方向から一体的に挟み付けるよう押動する複数の押動体とを備え、この押動体の押動により、上記下部案内体上に各パレットが整然と揃うよう積み重ねられることとされている。また、この構成において、上記パレット支持台上にフォークリフトにより各パレットを載置させれば、これらパレットの自重により上記パレット支持台が下降することとされ、このように下降するパレット支持台に上記各押動体が連動して上記各押動体が上記パレット支持台上の各パレットを水平方向から挟み付けることとされている。
【０００３】
このため、例えば、不使用時の複数枚のパレットをコンパクトに収納しようとする場合などに、これらパレットを整然と揃えて積み重ねようとする場合には、上記各パレットを上記パレット支持台上に載置させればよい。このようにすれば、このパレット支持台上で、上記各パレットは機械的に整然と揃えられて積み重ねられ、これら各パレットのコンパクトな収納ができることとされている。
【先行技術文献】
【特許文献】
【０００４】
【特許文献１】実開平５−４２２３７号公報
【発明の概要】
【発明が解決しようとする課題】
【０００５】
ところで、上記したパレット積み重ね案内装置におけるパレット支持台と各押動体とは、いずれも上記基台に対し可動式のものとして支持されており、また、上記パレット支持台と各押動体とは互いに連動するよう連結されたものである。このため、上記従来の技術のパレット積み重ね案内装置は、可動部品が多くて機構的なものであることから、その構成が複雑であると共に、その形成作業が極めて煩雑になるおそれがある。
【課題を解決するための手段】
【０００６】
本発明は、上記のような事情に注目してなされたもので、本発明の目的は、複数枚のパレットを整然と揃えて積み重ね可能とするパレット積み重ね案内装置を、構成簡単に、かつ、形成が容易にできるようにすることである。
【０００７】
請求項１の発明は、複数枚のパレット２を積み重ねて載置可能とさせるパレット支持台４と、このパレット支持台４の平面視（図３）での外縁部の各部から鉛直方向の上方に向かって延出する下部案内体５と、この下部案内体５の延出端部の平面視での各部から上方に向かうに従い上記下部案内体５の外側方に向かって延出する上部案内体６とを備えたパレット積み重ね案内装置において、
フォークリフト８のフォーク９に支持されたパレット２を上記上部案内体６の上方から下降させるとき、上記上部案内体６が上記パレット２を摺動させて、このパレット２を水平方向の一方向である前後方向、およびこの前後方向に対する左右方向のそれぞれで上記下部案内体５の内部空間２５に向けて案内した後、上記下部案内体５がその内部空間２５を下降する上記パレット２を摺動させて、このパレット２を上記パレット支持台４上の所定位置に向けて案内するようにし、
【０００８】
上記パレット支持台４上に積み重ねられたパレット２群を上記下部案内体５の内部空間２５から水平方向の外部に向かって取り出し可能にさせる開口２６を、上記パレット支持台４の直上、かつ、上記上部案内体６の下方に形成したことを特徴とするパレット積み重ね案内装置である。
【０００９】
請求項２の発明は、上記下部案内体５を、上記パレット支持台４の外縁部に所定間隔で配置される案内柱１４〜１６で構成したことを特徴とする請求項１に記載のパレット積み重ね案内装置である。
【００１０】
なお、この項において、上記各用語に付記した符号や図面番号は、本発明の技術的範囲を後述の「実施例」の項や図面の内容に限定解釈するものではない。
【発明の効果】
【００１１】
本発明による効果は、次の如くである。
【００１２】
請求項１の発明は、複数枚のパレットを積み重ねて載置可能とさせるパレット支持台と、このパレット支持台の平面視での外縁部の各部から鉛直方向の上方に向かって延出する下部案内体と、この下部案内体の延出端部の平面視での各部から上方に向かうに従い上記下部案内体の外側方に向かって延出する上部案内体とを備えたパレット積み重ね案内装置において、
フォークリフトのフォークに支持されたパレットを上記上部案内体の上方から下降させるとき、上記上部案内体が上記パレットを摺動させて、このパレットを水平方向の一方向である前後方向、およびこの前後方向に対する左右方向のそれぞれで上記下部案内体の内部空間に向けて案内した後、上記下部案内体がその内部空間を下降する上記パレットを摺動させて、このパレットを上記パレット支持台上の所定位置に向けて案内するようにしている。
【００１３】
このため、上記パレット積み重ね案内装置を用いて、例えば、不使用時の複数枚のパレットをコンパクトに収納しようとする場合には、まず、上記パレットをフォークリフトのフォークにより前後左右に多少移動可能な状態で支持して、このフォークと共に上記パレットを上記上部案内体の上方から下降させる。そして、このように下降するパレットを上記上、下部案内体に対し順次摺動させれば、上記パレットは前後方向および左右方向のそれぞれで上記パレット支持台上の所定位置に向けて案内される。よって、上記作業を繰り返して、パレットを次々とパレット支持台上に載置させれば、複数枚のパレットが整然と揃えられて上記パレット支持台上に積み重ねられる。
【００１４】
そして、上記したパレット積み重ね案内装置は、従来の後術のような可動部材を不要として、パレット支持台、下部案内体、および上部案内体の静止部材で足りるため、このパレット積み重ね案内装置は、構成を簡単にできると共に、その形成が容易にできることとなる。
【００１５】
また、上記パレット支持台上に積み重ねられたパレット群を上記下部案内体の内部空間から水平方向の外部に向かって取り出し可能にさせる開口を、上記パレット支持台の直上、かつ、上記上部案内体の下方に形成している。
【００１６】
このため、前記したように、パレット支持台上にパレット群を整然と積み重ねた後、これらパレット群をフォークリフトにより所望位置に移動させることは、上記したパレット群の取り出しにより、容易かつ迅速にでき、これは、パレットの取り扱い上、有益である。
【００１７】
請求項２の発明は、上記下部案内体を、上記パレット支持台の外縁部に所定間隔で配置される案内柱で構成している。
【００１８】
このため、上記各案内柱の間の隙間を通して、上記下部案内体の内部空間をその外部から容易に見ることができる。よって、上記パレット支持台上に積み重ねられるパレットの積み重ね状態や積み重ねの枚数を視認したり、上記下部案内体の内部空間からのパレット群の取り出し状態を視認したりすることが容易にできることから、パレットの取り扱いの作業性が、より向上して有益である。
【図面の簡単な説明】
【００１９】
【図１】側面図である。
【図２】正面図である。
【図３】平面図である。
【図４】斜視図である。
【発明を実施するための形態】
【００２０】
本発明のパレット積み重ね案内装置に関し、複数枚のパレットを整然と揃えて積み重ね可能とするパレット積み重ね案内装置を、構成簡単に、かつ、形成が容易にできるようにする、という目的を実現するため、本発明を実施するための形態は、次の如くである。
【００２１】
即ち、パレット積み重ね案内装置は、複数枚のパレットを積み重ねて載置可能とさせるパレット支持台と、このパレット支持台の平面視での外縁部の各部から鉛直方向の上方に向かって延出する下部案内体と、この下部案内体の延出端部の平面視での各部から上方に向かうに従い上記下部案内体の外側方に向かって延出する上部案内体とを備えている。フォークリフトのフォークに支持されたパレットを上記上部案内体の上方から下降させるとき、上記上部案内体が上記パレットを摺動させて、このパレットを水平方向の一方向である前後方向、およびこの前後方向に対する左右方向のそれぞれで上記下部案内体の内部空間に向けて案内した後、上記下部案内体がその内部空間を下降する上記パレットを摺動させて、このパレットを上記パレット支持台上の所定位置に向けて案内するようになっている。また、上記パレット支持台上に積み重ねられたパレット群を上記下部案内体の内部空間から水平方向の外部に向かって取り出し可能にさせる開口が、上記パレット支持台の直上、かつ、上記上部案内体の下方に形成されている。
【実施例】
【００２２】
本発明をより詳細に説明するために、その実施例を添付の図に従って説明する。
【００２３】
図において、符号１はパレット積み重ね案内装置である。このパレット積み重ね案内装置１は、不使用時の複数枚のパレット２をコンパクトに収納しようとする場合などに、これらパレット２を整然と揃えて積み重ねることが容易にできるようにするためのものである。なお、説明の便宜上、水平方向の一方向である矢印Ｆｒの方向を前方とし、下記する左右とは、この前方に向かっての水平方向をいうものとする。
【００２４】
上記パレット積み重ね案内装置１は全体として金属製で、このパレット積み重ね案内装置１は、複数枚のパレット２を積み重ねて載置可能とさせるパレット支持台４と、このパレット支持台４の平面視（図３）での外縁部の各部から鉛直方向の上方に向かって延出する下部案内体５と、この下部案内体５の延出端部（上端部）の平面視での各部から上方に向かうに従い上記下部案内体５の外側方に向かって延出する上部案内体６とを備えている。
【００２５】
上記各パレット２は互いに同形同大とされている。これら各パレット２は平面視で左右に長い長方形状をなす偏平な直方体形状とされている。また、上記各パレット２の厚さ方向の中途部には前後方向に貫通して、フォークリフト８のフォーク９を挿入可能とさせるフォーク挿入孔１０が形成されている。具体的には、上記各パレット２は、例えば、長辺が略１４００ｍｍ、短辺が略１１００ｍｍ、高さが略１５０ｍｍである。
【００２６】
上記パレット支持台４は、平面視で左右に長い長方形状をなす偏平な直方体形状とされ、地面など作業床面１２上に載置される。平面視で、上記パレット支持台４は上記パレット２よりも長辺と短辺とがそれぞれ略１０ｍｍ大きい相似形状とされる。
【００２７】
上記下部案内体５は、上記パレット支持台４の前端部における左右各角部の前面と外側面とから上方に向かって延出する左右一対の前部案内柱１４，１４と、上記パレット支持台４の後端部における左右各外側面から上方に向かって延出する左右一対の後部案内柱１５，１５と、上記パレット支持台４の前後方向の中途部における左右各外側面から上方に向かって延出する左右一対の中途部案内柱１６，１６とを備え、これら各案内柱１４〜１６は板金製とされている。
【００２８】
上記各前部案内柱１４の上下方向における各部の横断面形状は、上記パレット支持台４の前端部における左右各角部に沿って延びるＬ字形状とされている。
【００２９】
上記各後部案内柱１５の上端部の横断面形状は、上記パレット支持台４の後端部における左右各角部に沿って延びるＬ字形状とされている。また、上記各後部案内柱１５の上端部を除く下部側と、上記各中途部案内柱１６とは、それぞれ帯板形状とされ、その断面は、上記パレット支持台４の外側面に沿って延びている。また、上記各後部案内柱１５と各中途部案内柱１６とをそれぞれ補強して強固に保形する補強パイプ１７が設けられ、この補強パイプ１７は、上記各後部案内柱１５と各中途部案内柱１６の外面にそれぞれ接合されている。
【００３０】
左右に延び、上記左右前部案内柱１４，１４の各上端部外面に架設される前部梁２０と、それぞれ前後に延び、上記前部案内柱１４と後部案内柱１５との各上端部外面に架設される左右一対の側部梁２１，２１とが設けられる。上記前部梁２０と各側部梁２１とは、上記各案内柱１４〜１６を、より補強して強固に保形する。
【００３１】
前記上部案内体６は、上記前部案内柱１４と後部案内柱１５との各上端部からそれぞれ一体的に延出する４つの案内板２３を有している。これら各案内板２３の上下方向における各部の横断面形状はＬ字形状とされ、いずれも、上方に向かうに従い上記下部案内体５の外側方に向かって延出している。
【００３２】
図２〜４において、上記パレット積み重ね案内装置１の後部には、上記パレット支持台４、上記下部案内体５の左右後部案内柱１５，１５、および上記上部案内体６の後側の左右案内板２３，２３の間に、上記下部案内体５の内部空間２５を後方に向かって連通させる開口２６が形成されている。また、この開口２６は、上記上部案内体６の後側の左右案内板２３，２３の間を通して上方に向かって開放されている。
【００３３】
図１で示すように、フォークリフト８をパレット積み重ね案内装置１の後方近傍にまで前進させれば、このフォークリフト８のフォーク９は、上記開口２６を通し下部案内体５の内部空間２５に対し挿入可能であり、図３で示すように、上記フォークリフト８を後進させれば、このフォークリフト８のフォーク９は、上記開口２６を通し下部案内体５の内部空間２５から離脱可能である。また、上記フォーク９は、上記開口２６を通し下部案内体５の内部空間２５に挿入したままで、上記パレット積み重ね案内装置１の各部に接触することなく昇降可能とされている。
【００３４】
図１，２において、図中実線で示すように、フォークリフト８のフォーク９に対し前後左右に多少移動可能な状態で支持されたパレット２を、上記上部案内体６の上方から上記フォーク９と共に下降させる。すると、図中一点鎖線で示すように、上記上部案内体６の各案内板２３が上記パレット２を摺動させ、かつ、この摺動に伴い上記フォーク９の上面を上記パレット２が摺動することにより、このパレット２は上記下部案内体５の内部空間２５に向けて案内されるようになっている。
【００３５】
上記したように、上部案内体６の各案内板２３の案内により、上記パレット２が上記下部案内体５の内部空間２５の上端部に達してから、更に、図中二点鎖線で示すように、上記パレット２を上記フォーク９と共に上記下部案内体５の内部空間２５を更に下降させる。すると、この下部案内体５の各案内柱１４〜１６は、上記内部空間２５を下降する上記パレット２を摺動させ、かつ、この摺動に伴い上記フォーク９の上面を上記パレット２が摺動することにより、このパレット２は上記パレット支持台４上の所定位置に向けて案内されるようになっている。
【００３６】
このため、上記パレット積み重ね案内装置１を用いて、例えば、不使用時の複数枚のパレット２をコンパクトに収納しようとする場合には、まず、上記パレット２をフォークリフト８のフォーク９により前後左右に多少移動可能な状態で支持して、このフォーク９と共に上記パレット２を上記上部案内体６の上方から下降させる。そして、このように下降するパレット２を上記上、下部案内体６，５に対し順次摺動させれば、上記パレット２は上記パレット支持台４上の所定位置に向けて案内される。よって、上記作業を繰り返して、パレット２を次々とパレット支持台４上に載置させれば、図１中実線で示すように、複数枚のパレット２が整然と揃えられて上記パレット支持台４上に積み重ねられる。
【００３７】
その後、上記のように積み重ねられたパレット２群のうち、最下段のパレット２のフォーク挿入孔１０にフォーク９を挿入し、少し上昇させてパレット２群を支持し、フォークリフト８を後進させれば、図３中三点鎖線で示すように、上記パレット支持台４上に積み重ねられたパレット２群は、上記下部案内体５の内部空間２５から開口２６を通り水平方向の外部に向かって取り出される。
【００３８】
そして、上記したパレット積み重ね案内装置１は、従来の後術のような可動部材を不要として、パレット支持台４、下部案内体５、および上部案内体６の静止部材で足りるため、このパレット積み重ね案内装置１は、構成を簡単にできると共に、その形成が容易にできることとなる。
【００３９】
また、前記したように、パレット支持台４上に積み重ねられたパレット２群を下部案内体５の内部空間２５から水平方向の外部に向かって取り出し可能にさせる開口２６を形成している。
【００４０】
このため、前記したように、パレット支持台４上にパレット２群を整然と積み重ねた後、これらパレット２群をフォークリフト８により所望位置に移動させることは、上記したパレット２群の取り出しにより、容易かつ迅速にでき、これは、パレット２の取り扱い上、有益である。
【００４１】
また、前記したように、下部案内体５を、パレット支持台４の外縁部に所定間隔で配置される案内柱１４〜１６で構成している。
【００４２】
このため、上記各案内柱１４〜１６の間の隙間を通して、上記下部案内体５の内部空間２５をその外部から容易に見ることができる。よって、上記パレット支持台４上に積み重ねられるパレット２の積み重ね状態や積み重ねの枚数を視認したり、上記下部案内体５の内部空間２５からのパレット２群の取り出し状態を視認したりすることが容易にできることから、パレット２の取り扱いの作業性が、より向上して有益である。
【００４３】
なお、以上は図示の例によるが、上記中途部案内柱１６は無くてもよい。また、上記各案内柱１４〜１６を角パイプや丸パイプで形成して、補強パイプ１７を設けないようにしてもよい。
【符号の説明】
【００４４】
１    パレット積み重ね案内装置
２    パレット
４    パレット支持台
５    下部案内体
６    上部案内体
８    フォークリフト
９    フォーク
１２  作業床面
２５  内部空間
２６  開口
【要約】
【課題】複数枚のパレットを整然と揃えて積み重ね可能とするパレット積み重ね案内装置を、構成簡単に、かつ、形成が容易にできるようにする。
【解決手段】パレット積み重ね案内装置は、複数枚のパレット２を積み重ねて載置可能とさせるパレット支持台４と、パレット支持台４の平面視での外縁部の各部から鉛直方向の上方に向かって延出する下部案内体５と、下部案内体５の延出端部の平面視での各部から上方に向かうに従い下部案内体５の外側方に向かって延出する上部案内体６とを備える。フォークリフト８のフォーク９に支持されたパレット２を上部案内体６の上方から下降させるとき、上部案内体６がパレット２を摺動させて下部案内体５の内部空間２５に向けて案内した後、下部案内体５がその内部空間２５を下降するパレット２を摺動させてパレット支持台４上の所定位置に向けて案内する。
【選択図】図１【図１】
0004837136.tif 000002
【図２】
0004837136.tif 000003
【図３】
0004837136.tif 000004
【図４】
0004837136.tif 000005